(57)【要約】【課題】格子状の明暗妨害を発生させることなく動画疑似輪郭を低減する。【解決手段】表示装置はデータ変換回路２０を有し、データ変換回路２０は、入力画像において水平方向に隣接する２画素間について疑似輪郭輝度変化を検出する第１の輝度変化検出手段と、垂直方向に隣接する２画素間について疑似輪郭輝度変化を検出する第２の輝度変化検出手段と、疑似輪郭輝度変化が検出された水平方向に隣接する２画素に対して疑似輪郭輝度変化を拡散させる第１のデータ変換を行う第１のデータ変換手段と、疑似輪郭輝度変化が検出された垂直方向に隣接する２画素に対して疑似輪郭輝度変化を拡散させる第２のデータ変換を行う第２のデータ変換手段とを有する。【選択図】        図１
2005010588.tif 000002
【特許請求の範囲】
【請求項１】
表示パネルのマトリクス状に配列された複数のセルを発光させることにより画像を表示する表示方法において、
入力画像において水平方向に隣接する２画素間について動画疑似輪郭が発生し得る輝度変化である疑似輪郭輝度変化を検出する第１の輝度変化検出手順と、
前記入力画像において垂直方向に隣接する２画素間について前記疑似輪郭輝度変化を検出する第２の輝度変化検出手順と、
前記疑似輪郭輝度変化が検出された前記水平方向に隣接する２画素に対して前記疑似輪郭輝度変化を拡散させる第１のデータ変換を行う第１のデータ変換手順と、
前記疑似輪郭輝度変化が検出された前記垂直方向に隣接する２画素に対して前記疑似輪郭輝度変化を拡散させる第２のデータ変換を行う第２のデータ変換手順と、
前記第１のデータ変換と前記第２のデータ変換とがなされた入力画像の各画素データに応じて前記表示パネルの対応するセルを発光させる発光制御手順とを有し、
前記疑似輪郭輝度変化が検出された２画素間のデータ変換後の輝度変化の方向がこの疑似輪郭輝度変化の方向に対して反転か非反転かをデータ変換の方向としたとき、前記第１のデータ変換手順と前記第２のデータ変換手順とは、それぞれ前記データ変換の方向がフレーム毎に反転するようにしたことを特徴とする表示方法。
【請求項２】
請求項１記載の表示方法において、
前記疑似輪郭輝度変化は、前記入力画像の８ビットの画素データのうち連続する少なくとも３ビットを前記隣接する２画素について調べたとき、「０１１」から「１００」へ桁上がりするビット、または「１００」から「０１１」へ桁下がりするビットを含む輝度変化であることを特徴とする表示方法。
【請求項３】
請求項１記載の表示方法において、
前記第１のデータ変換手順は、前記データ変換の方向がライン毎に反転するように前記第１のデータ変換を行い、
前記第２のデータ変換手順は、前記データ変換の方向が画素毎に反転するように前記第２のデータ変換を行うことを特徴とする表示方法。
【請求項４】
請求項１記載の表示方法において、
前記第１のデータ変換手順と前記第２のデータ変換手順とは、データ変換前の画素データの値をＹ０、反転データ変換後の画素データの値をＹ１、非反転データ変換後の画素データの値をＹ２としたとき、Ｙ０＝（Ｙ１＋Ｙ２）／２の関係を満たし、かつデータ変換後の画素データの値Ｙ１，Ｙ２とデータ変換前の画素データの値Ｙ０との差が最小となるようにデータ変換を行うことを特徴とする表示方法。
【請求項５】
請求項１記載の表示方法において、
同一の画素について前記第１の輝度変化検出手順と前記第２の輝度変化検出手順で前記疑似輪郭輝度変化が検出された場合には、前記第２のデータ変換手順よりも前記第１のデータ変換手順を優先的に行うことを特徴とする表示方法。
【請求項６】
請求項１記載の表示方法において、
前記表示パネルの１フレーム期間を、発光期間がそれぞれ重み付けされた複数のサブフレームに分割し、
前記発光制御手順は、前記第１のデータ変換と前記第２のデータ変換とがなされた入力画像の各画素データに応じたサブフレームを選択して前記セルを発光させることにより前記表示パネルの階調表示を行うことを特徴とする表示方法。
【請求項７】
表示パネルのマトリクス状に配列された複数のセルを発光させることにより画像を表示する表示装置において、
入力画像において水平方向に隣接する２画素間について動画疑似輪郭が発生し得る輝度変化である疑似輪郭輝度変化を検出する第１の輝度変化検出手段と、
前記入力画像において垂直方向に隣接する２画素間について前記疑似輪郭輝度変化を検出する第２の輝度変化検出手段と、
前記疑似輪郭輝度変化が検出された前記水平方向に隣接する２画素に対して前記疑似輪郭輝度変化を拡散させる第１のデータ変換を行う第１のデータ変換手段と、
前記疑似輪郭輝度変化が検出された前記垂直方向に隣接する２画素に対して前記疑似輪郭輝度変化を拡散させる第２のデータ変換を行う第２のデータ変換手段と、
前記第１のデータ変換と前記第２のデータ変換とがなされた入力画像の各画素データに応じて前記表示パネルの対応するセルを発光させる発光制御手段とを有し、
前記疑似輪郭輝度変化が検出された２画素間のデータ変換後の輝度変化の方向がこの疑似輪郭輝度変化の方向に対して反転か非反転かをデータ変換の方向としたとき、前記第１のデータ変換手段と前記第２のデータ変換手段とは、それぞれ前記データ変換の方向がフレーム毎に反転するようにしたことを特徴とする表示装置。
【請求項８】
請求項７記載の表示装置において、
前記疑似輪郭輝度変化は、前記入力画像の８ビットの画素データのうち連続する少なくとも３ビットを前記隣接する２画素について調べたとき、「０１１」から「１００」へ桁上がりするビット、または「１００」から「０１１」へ桁下がりするビットを含む輝度変化であることを特徴とする表示装置。
【請求項９】
請求項７記載の表示装置において、
前記第１のデータ変換手段は、前記データ変換の方向がライン毎に反転するように前記第１のデータ変換を行い、
前記第２のデータ変換手段は、前記データ変換の方向が画素毎に反転するように前記第２のデータ変換を行うことを特徴とする表示装置。
【請求項１０】
請求項７記載の表示装置において、
前記第１のデータ変換手段と前記第２のデータ変換手段とは、データ変換前の画素データの値をＹ０、反転データ変換後の画素データの値をＹ１、非反転データ変換後の画素データの値をＹ２としたとき、Ｙ０＝（Ｙ１＋Ｙ２）／２の関係を満たし、かつデータ変換後の画素データの値Ｙ１，Ｙ２とデータ変換前の画素データの値Ｙ０との差が最小となるようにデータ変換を行うことを特徴とする表示装置。
【請求項１１】
請求項７記載の表示装置において、
同一の画素について前記第１の輝度変化検出手段と前記第２の輝度変化検出手段で前記疑似輪郭輝度変化が検出された場合には、前記第１のデータ変換手段が前記第１のデータ変換を優先的に行うことを特徴とする表示装置。
【請求項１２】
請求項７記載の表示装置において、
前記表示パネルの１フレーム期間を、発光期間がそれぞれ重み付けされた複数のサブフレームに分割し、
前記発光制御手段は、前記第１のデータ変換と前記第２のデータ変換とがなされた入力画像の各画素データに応じたサブフレームを選択して前記セルを発光させることにより前記表示パネルの階調表示を行うことを特徴とする表示装置。
【発明の詳細な説明】
【０００１】
【発明の属する技術分野】
本発明は、プラズマディスプレイパネル等の表示パネルの階調表示を行う表示方法および表示装置に関する。
【０００２】
【従来の技術】
各画素がマトリクス状に形成されたプラズマディスプレイパネル（以下、ＰＤＰとする）の階調表示を行うＰＤＰ表示装置は、図１１に示すように、入力映像信号のレベル調整を行うレベル調整回路１１と、レベル調整回路１１の出力をＡ／Ｄ変換し８ビット表示データとするＡ／Ｄ変換回路１２と、Ａ／Ｄ変換回路１２から出力される表示データに対して後述するγ逆補正を行うγ逆補正回路１３と、γ逆補正回路１３からの表示データを１フレーム分蓄積するフレームメモリ１４と、フレームメモリ１４の表示データをＰＤＰ１に出力する出力処理回路１５と、入力映像信号のなかから同期信号（垂直同期信号）を分離する同期分離回路１６と、同期分離回路１６からの垂直同期信号をもとにＡ／Ｄ変換回路１２のＡ／Ｄ変換のタイミング等を規定するタイミングパルスの生成を行うタイミングパルス発生回路１７と、前記タイミングパルスを入力してフレームメモリ１４からの表示データの読み出しを制御するメモリ制御回路１８と、前記タイミングパルスをもとにＰＤＰ１の各画素の表示タイミングを規定するタイミング信号の生成を行う駆動タイミング発生回路１９とからなる。
【０００３】
このようなＰＤＰ１あるいは強誘電性液晶素子を用いた表示パネルの表示を行う場合、各画素（放電セル）は発光と非発光の２つの状態しか有しないため、１フレームの表示期間を、画素の点灯期間である維持発光期間（発光輝度に比例）の相対比がそれぞれ異なる複数のサブフレームに分割することにより中間の階調表示を得るようにしている。
【０００４】
図１２の例は、１フレーム表示期間が８個のサブフレームＳＦ１〜ＳＦ８により構成され、８個の階調ビットにより２５６階調表示が行われる例である。すなわち、最上位の階調ビット（８ビット目）がサブフレームＳＦ８に対応するとともに、以下順に、７ビット目の階調ビットがサブフレームＳＦ７に、６ビット目の階調ビットがサブフレームＳＦ６に、５ビット目の階調ビットがサブフレームＳＦ５に、４ビット目の階調ビットがサブフレームＳＦ４に、３ビット目の階調ビットがサブフレームＳＦ３に、２ビット目の階調ビットがサブフレームＳＦ２にそれぞれ対応し、最下位の階調ビット（１ビット目）がサブフレームＳＦ１に対応する。
【０００５】
各サブフレームＳＦ１〜ＳＦ８では、維持発光期間がそれぞれ階調数（発光輝度の相対比：維持発光パルス数に比例）１（＝２０  ），２（＝２１  ），４（＝２２  ），８（＝２３  ），１６（＝２４  ），３２（＝２５  ），６４（＝２６  ），１２８（＝２７  ）として重み付けされている。
【０００６】
ここで、各サブフレームＳＦ１〜ＳＦ８は維持発光期間の他に走査期間を有している。サブフレームＳＦ１の走査期間では、最下位ビット（１ビット目）の表示データに対応するＰＤＰ１の各画素への前記表示データの書き込みを行う。そしてＰＤＰ１の全画面の表示データの書き込みが終了すると、維持発光期間ではＰＤＰの全画面に維持発光パルスを例えば１回印加して書き込みが行われた画素だけ発光表示させる。
【０００７】
次に、サブフレームＳＦ２の走査期間では、２ビット目の表示データに対応する各画素への表示データの書き込みを行う。そしてＰＤＰ１の全画面の書き込みが終了すると、維持発光期間ではＰＤＰ１の全画面に維持発光パルスを例えば２回印加して、書き込みが行われた画素だけ発光表示させる。以下、サブフレームＳＦ３，ＳＦ４，ＳＦ５，ＳＦ６，ＳＦ７，ＳＦ８についても、走査期間ではそれぞれ対応するビットの表示データに応じた各画素への表示データの書き込みを行い、これが終了すると、次の維持発光期間では維持発光パルスをそれぞれ４回，８回，１６回，３２回，６４回，１２８回印加して書き込みが行われた画素だけ発光表示させる。
【０００８】
このように、サブフレーム法による階調表示を行うＰＤＰでは、各サブフレームの輝度の相対比が１：２１  ：２２  ：２３  ：２４  ：２５  ：２６  ：２７  となるようにするのが最も効率が良いが、サブフレームを単純に輝度の相対比の順に並べて表示を行うと、画像が静止している部分では何の問題も発生しないが、画像が動いている部分では、人間の目が本来存在しないはずの輝度を認識してしまい、動画疑似輪郭と呼ばれる特有の画質劣化が生じる。この動画疑似輪郭の発生原因は、人間の目が、あるサブフレームとその前後のサブフレームにおける発光部分や未発光部分を融合して認識してしまうことにある。
【０００９】
この動画疑似輪郭を解決するために、重ね合わせ法（例えば、非特許文献１参照）やマルチレベル・サブフィールド法（例えば、非特許文献２参照）と呼ばれる方法が提案されている。これらの方法は、図１３に示すように、水平方向、垂直方向共に２種類の発光重心の異なる発光パターンＡとＢとを画素ごとに交互に並べて発光させることにより、動画疑似輪郭を相殺するようにしたものである。
【００１０】
例えば、第１ラインの第１画素では発光パターンＡで発光させ、第１ラインの第２画素では発光パターンＢで発光させて、以下同様に第１ラインでは発光パターンＡとＢとを交互に繰り返す。また、第２ラインの第１画素では発光パターンＢで発光させ、第２ラインの第２画素では発光パターンＡで発光させて、以下同様に第２ラインでは発光パターンＢとＡとを交互に繰り返す。こうして、明暗を分散させて輝度を平均化して、動画疑似輪郭を相殺する。このとき、発光パターンＡとＢとは、それぞれ表す輝度が異なるため、その平均値が必要な輝度になるような組み合わせにする。なお、出願人は、本明細書に記載した先行技術文献情報で特定される先行技術文献以外には、本発明に関連する先行技術文献を出願時までに発見するには至らなかった。
【００１１】
【非特許文献１】
小川清隆他，「ＰＤＰの高画質化技術」，［ｏｎｌｉｎｅ］，１９９８年５月，雑誌ＦＵＪＩＴＳＵ１９９８−５月号，ｐ．２０９−２１３，インターネット＜ＵＲＬ：ｈｔｔｐ：／／ｍａｇａｚｉｎｅ．ｆｕｊｉｔｓｕ．ｃｏｍ／ｉｎｄｅｘ２．ｈｔｍｌ＞
【非特許文献２】
小口富弘他，「５０インチＡＣ型ハイビジョンＰＤＰの開発」，パイオニア技術情報誌，パイオニア株式会社，１９９８年，第８巻，第３号，ｐ．２８−３４
【００１２】
【発明が解決しようとする課題】
しかしながら、固定された市松模様状に２種類の発光重心の異なる発光パターンを設定して動画疑似輪郭を相殺する方法では、２種類の発光重心の異なる発光パターンにより市松模様状（格子状）の明暗が画像の平坦部においても発生し、この格子状の明暗妨害が画質を劣化させるという問題点があった。
【００１３】
本発明は、上記課題を解決するためになされたもので、ＰＤＰ等の表示パネルにおいてサブフレーム法による階調表示を行う場合に、格子状の明暗妨害を発生させることなく動画疑似輪郭と呼ばれる画質劣化を低減し、画質の向上を図ることを目的とする。
【００１４】
【課題を解決するための手段】
本発明は、表示パネルのマトリクス状に配列された複数のセルを発光させることにより画像を表示する表示方法において、入力画像において水平方向に隣接する２画素間について動画疑似輪郭が発生し得る輝度変化である疑似輪郭輝度変化を検出する第１の輝度変化検出手順と、前記入力画像において垂直方向に隣接する２画素間について前記疑似輪郭輝度変化を検出する第２の輝度変化検出手順と、前記疑似輪郭輝度変化が検出された前記水平方向に隣接する２画素に対して前記疑似輪郭輝度変化を拡散させる第１のデータ変換を行う第１のデータ変換手順と、前記疑似輪郭輝度変化が検出された前記垂直方向に隣接する２画素に対して前記疑似輪郭輝度変化を拡散させる第２のデータ変換を行う第２のデータ変換手順と、前記第１のデータ変換と前記第２のデータ変換とがなされた入力画像の各画素データに応じて前記表示パネルの対応するセルを発光させる発光制御手順とを有し、前記疑似輪郭輝度変化が検出された２画素間のデータ変換後の輝度変化の方向がこの疑似輪郭輝度変化の方向に対して反転か非反転かをデータ変換の方向としたとき、前記第１のデータ変換手順と前記第２のデータ変換手順とは、それぞれ前記データ変換の方向がフレーム毎に反転するようにしたものである。
また、本発明の表示方法の１構成例において、前記疑似輪郭輝度変化は、前記入力画像の８ビットの画素データのうち連続する少なくとも３ビットを前記隣接する２画素について調べたとき、「０１１」から「１００」へ桁上がりするビット、または「１００」から「０１１」へ桁下がりするビットを含む輝度変化である。
【００１５】
また、本発明の表示方法の１構成例において、前記第１のデータ変換手順は、前記データ変換の方向がライン毎に反転するように前記第１のデータ変換を行い、前記第２のデータ変換手順は、前記データ変換の方向が画素毎に反転するように前記第２のデータ変換を行うようにしてもよい。
また、本発明の表示方法の１構成例において、前記第１のデータ変換手順と前記第２のデータ変換手順とは、データ変換前の画素データの値をＹ０、反転データ変換後の画素データの値をＹ１、非反転データ変換後の画素データの値をＹ２としたとき、Ｙ０＝（Ｙ１＋Ｙ２）／２の関係を満たし、かつデータ変換後の画素データの値Ｙ１，Ｙ２とデータ変換前の画素データの値Ｙ０との差が最小となるようにデータ変換を行うようにしてもよい。
また、本発明の表示方法の１構成例は、同一の画素について前記第１の輝度変化検出手順と前記第２の輝度変化検出手順で前記疑似輪郭輝度変化が検出された場合には、前記第２のデータ変換手順よりも前記第１のデータ変換手順を優先的に行うようにしてもよい。
また、本発明の表示方法の１構成例は、前記表示パネルの１フレーム期間を、発光期間がそれぞれ重み付けされた複数のサブフレームに分割し、前記発光制御手順は、前記第１のデータ変換と前記第２のデータ変換とがなされた入力画像の各画素データに応じたサブフレームを選択して前記セルを発光させることにより前記表示パネルの階調表示を行うものである。
【００１６】
【発明の実施の形態】
以下、本発明の実施の形態について図面を参照して詳細に説明する。一般に、プラズマディスプレイパネル（以下、ＰＤＰとする）や強誘電性液晶素子を用いた表示パネルの表示を行う表示装置では、１フレーム表示期間を、維持発光期間がそれぞれ重み付けされた複数のサブフレームに分割するとともに、入力したアナログ映像信号をＡ／Ｄ変換してサブフレーム数に応じたビット数のデジタルデータとし、変換したビットデータに応じたサブフレームによりＰＤＰの対応の画素を発光させて所定の階調の画像を得るようにしている。
【００１７】
図１は、本発明の実施の形態となるＰＤＰ表示装置の構成を示すブロック図である。ＰＤＰ表示装置は、ＰＤＰ１と、レベル調整回路１１と、Ａ／Ｄ変換回路１２と、γ逆変換回路１３と、フレームメモリ１４と、出力処理回路１５と、同期分離回路１６と、タイミングパルス発生回路１７と、メモリ制御回路１８と、駆動タイミング発生回路１９と、データ変換回路２０とからなる。フレームメモリ１４と出力処理回路１５とタイミングパルス発生回路１７とメモリ制御回路１８と駆動タイミング発生回路１９とは、入力画像の各画素データに応じたサブフレームを選択してＰＤＰ１の放電セルを発光させることによりＰＤＰ１の階調表示を行う発光制御手段を構成している。
【００１８】
レベル調整回路１１は、入力映像信号のレベルを調整する。Ａ／Ｄ変換回路１２は、レベル調整回路１１から出力された映像信号をＡ／Ｄ変換し８ビットのデジタルデータとして出力する。γ逆補正回路１３は、ＣＲＴの発光特性と互換性を保つため、Ａ／Ｄ変換回路１２から出力されたデジタルデータをγ逆補正する。データ変換回路２０は、γ逆補正された複数の隣接画素のデータが入力されると、この入力データに基づき輝度変化部分を検出しその輝度変化部分が平均化されるようにデジタルデータを変換する。
【００１９】
フレームメモリ１４は、データ変換回路２０によって変換処理された８ビットデータを格納する。出力処理回路１５は、フレームメモリ１４内の各データをＰＤＰ１の各画素の表示データとしてデータ電極に出力する。同期分離回路１６は、入力映像信号から同期信号を分離する。タイミングパルス発生回路１７は、同期分離回路１６によって抽出された垂直同期信号をもとに、Ａ／Ｄ変換回路１２、メモリ制御回路１８、駆動タイミング発生回路１９およびデータ変換回路２０への各種タイミング信号を生成する。
【００２０】
メモリ制御回路１８は、タイミングパルス発生回路１７のタイミング信号に基づきフレームメモリ１４内の表示データを出力処理回路１５側へ出力させる。駆動タイミング発生回路１９は、タイミングパルス発生回路１７およびメモリ制御回路１８からのタイミング信号に基づき前述のサブフレームのタイミングや、ＰＤＰ１の各走査電極及び維持電極を駆動するためのパルス信号などを生成する。
【００２１】
一般に、この種のＰＤＰ表示装置では、周知のように、入力映像信号をＡ／Ｄ変換回路１２によりＡ／Ｄ変換して８ビットのデジタルデータにした後、この８ビットデータをＣＲＴの発光特性と互換性を保つためにγ逆補正を行っている。本実施の形態では、γ逆補正後の隣接画素の各データからデータ変換回路２０が、動画疑似輪郭の発生の要因となる輝度変化部分を検出して輝度変化が低減されるようにデータ変換することにより、前述の動画疑似輪郭を低減する。
【００２２】
また、本実施の形態では、Ａ／Ｄ変換回路１２によりＡ／Ｄ変換した２５６階調の８ビットデータを、γ逆補正回路１３によりγ逆補正し、γ逆補正したデータについて図１２に示すような、発光期間がそれぞれ階調数１（＝２０  ），２（＝２１  ），４（＝２２  ），８（＝２３  ），１６（＝２４  ），３２（＝２５），６４（＝２６  ），１２８（＝２７  ）として重み付けされた８個のサブフレームＳＦ１〜ＳＦ８によりＰＤＰ１内の各画素の階調表示を実現する。
【００２３】
次に、本実施の形態のデータ変換回路２０について説明する。図２はデータ変換回路２０の構成を示すブロック図である。データ変換回路２０は、γ逆補正回路１３から出力されたγ逆補正後のデジタルデータｉｎｐｕｔを遅延させる遅延部２０１，２０２，２０３と、後述するラインメモリ２１８から出力されるデジタルデータを遅延させる遅延部２０４，２０５，２０６と、水平方向に隣接する２画素間または垂直方向に隣接する２画素間について動画疑似輪郭が発生し得る輝度変化（以下、疑似輪郭輝度変化とする）を検出する輝度変化検出部２０７，２０８，２０９，２１０，２１１，２１２，２１３と、水平方向の疑似輪郭輝度変化に対するデータ変換を制御する水平方向データ変換制御部２１４と、垂直方向の疑似輪郭輝度変化に対するデータ変換を制御する垂直方向データ変換制御部２１５と、遅延部２０１から出力されたデジタルデータと水平方向データ変換制御部２１４または垂直方向データ変換制御部２１５から出力された制御信号とを同期させて出力する同期出力部２１６と、同期出力部２１６から出力されたデジタルデータと同期出力部２１６および水平方向データ変換制御部２１４から出力された制御信号とを同期させて出力する同期出力部２１７とを有している。
【００２４】
さらに、データ変換回路２０は、同期出力部２１７から出力されたデジタルデータを１ライン分遅延させるラインメモリ２１８と、同期出力部２１７から出力された制御信号を１ライン分遅延させるラインメモリ２１９と、ラインメモリ２１９から出力された制御信号を遅延させる遅延部２２０，２２１，２２２と、ラインメモリ２１９および遅延部２２０〜２２２から出力された制御信号が示すデータ変換の方向を検出する制御信号検出部２２３，２２４，２２５，２２６と、遅延部２０４から出力されたデジタルデータと遅延部２２０および垂直方向データ変換制御部２１５から出力された制御信号とを同期させて出力する同期出力部２２７と、同期出力部２２７から出力されたデジタルデータを同期出力部２２７から出力された制御信号に応じてデータ変換するデータ変換部２２８とを有している。
【００２５】
水平方向データ変換制御部２１４と同期出力部２１６，２１７，２２７とラインメモリ２１９と遅延部２２０〜２２２と制御信号検出部２２３〜２２６とデータ変換部２２８とは、第１のデータ変換手段を構成し、垂直方向データ変換制御部２１５と同期出力部２１６，２１７，２２７とラインメモリ２１９と遅延部２２０〜２２２と制御信号検出部２２３〜２２６とデータ変換部２２８とは、第２のデータ変換手段を構成している。
【００２６】
遅延部２０１は、γ逆補正回路１３から出力されたγ逆補正後の８ビットのデジタルデータｉｎｐｕｔを３画素分（３τ）遅延させ、遅延部２０２は、データｉｎｐｕｔを２画素分（２τ）遅延させ、遅延部２０３は、データｉｎｐｕｔを１画素分（τ）遅延させる。
【００２７】
遅延部２０４は、後述するラインメモリ２１８から出力された８ビットのデジタルデータｐｒｅｉｎｐｕｔを３画素分遅延させ、遅延部２０５は、データｐｒｅｉｎｐｕｔを２画素分遅延させ、遅延部２０６は、データｐｒｅｉｎｐｕｔを１画素分遅延させる。
【００２８】
次に、輝度変化検出部（第１の輝度変化検出手段）２０７，２０８，２０９，２１０は、入力データｉｎｐｕｔにおいて疑似輪郭輝度変化を水平方向に隣接する２つの画素間について検出し、輝度変化検出部（第２の輝度変化検出手段）２１１，２１２，２１３は、入力データｉｎｐｕｔにおいて疑似輪郭輝度変化を垂直方向に隣接する２つの画素間について検出する。
【００２９】
図３は輝度変化検出部２０７〜２１３の動作を説明するための図である。本実施の形態では、図３に示すＰ２３の位置を検出の中心として考える。ここで、輝度変化検出部２１３に入力される入力データｉｎｐｕｔのタイミングを図３の画素Ｐ２４の位置とすると、遅延部２０３から出力されるデータは入力データｉｎｐｕｔに対して１画素分遅れているので図３の画素Ｐ２３の位置となり、遅延部２０２から出力されるデータは入力データｉｎｐｕｔに対して２画素分遅れているので図３の画素Ｐ２２の位置となる。
【００３０】
一方、ラインメモリ２１８から出力される８ビットのデジタルデータｐｒｅｉｎｐｕｔは入力データｉｎｐｕｔに対して１ライン分遅れているので図３の画素Ｐ１４の位置となり、遅延部２０６から出力されるデータはデータｐｒｅｉｎｐｕｔに対して１画素分遅れているので画素Ｐ１３の位置となり、遅延部２０５から出力されるデータはデータｐｒｅｉｎｐｕｔに対して２画素分遅れているので画素Ｐ１２の位置となり、遅延部２０４から出力されるデータはデータｐｒｅｉｎｐｕｔに対して３画素分遅れているので画素Ｐ１１の位置となる。
【００３１】
輝度変化検出部２０７は、遅延部２０４，２０５の出力を入力とする。したがって、図３を用いて説明したタイミングの関係により、輝度変化検出部２０７は、図３の画素Ｐ１１と画素Ｐ１２間について疑似輪郭輝度変化を検出する。
【００３２】
前述のように、１フレーム表示期間を図１２の８個のサブフレームＳＦ１〜ＳＦ８により構成する場合、輝度３（２進数で「００００００１１」）から輝度４（「０００００１００」）あるいは輝度４から輝度３への変化、輝度７（「０００００１１１」）から輝度８（「００００１０００」）あるいは輝度８から輝度７への変化、輝度１５（「００００１１１１」）から輝度１６（「０００１００００」）あるいは輝度１６から輝度１５への変化、輝度３１（「０００１１１１１」）から輝度３２（「００１０００００」）あるいは輝度３２から輝度３１への変化、輝度６３（「００１１１１１１」）から輝度６４（「０１００００００」）あるいは輝度６４から輝度６３への変化、輝度１２７（「０１１１１１１１」）から輝度１２８（「１０００００００」）あるいは輝度１２８から輝度１２７への変化と、これらの桁上がりを含むとき（例えば輝度１９（「０００１００１１」）から輝度２０（「０００１０１００」）あるいは輝度２０から輝度１９への変化等）の輝度変化部と、その近傍の輝度変化部（例えば輝度６１から輝度６５への変化あるいは輝度６５から輝度６１への変化）とが動画として移動し、その輝度変化部を人間の目が追う場合、動画疑似輪郭として認識される。
【００３３】
そこで、疑似輪郭輝度変化の検出は、８ビットで表される画素の輝度のうち連続する３ビットを画素Ｐ１１と画素Ｐ１２について調べ、この３ビットが「０１１」から「１００」、あるいは「１００」から「０１１」へ変化する場合を検出すればよい。
【００３４】
画素の輝度をａ７，ａ６，ａ５，ａ４，ａ３，ａ２，ａ１，ａ０の８ビットとすると、連続する３ビットとしては（ａ７，ａ６，ａ５）、（ａ６，ａ５，ａ４）、（ａ５，ａ４，ａ３）、（ａ４，ａ３，ａ２）、（ａ３，ａ２，ａ１）、（ａ２，ａ１，ａ０）の６通りがある。
【００３５】
輝度変化検出部２０７は、画素Ｐ１１と画素Ｐ１２間で疑似輪郭輝度変化を検出した場合、この検出結果を４ビットの検出信号として出力する。４ビットの検出信号は、ａ７，ａ６，ａ５，ａ４，ａ３，ａ２，ａ１，ａ０の８ビットにおいて疑似輪郭輝度変化が生じた３ビットの位置を示す３ビットの位置信号と、疑似輪郭輝度変化の方向（「０１１」から「１００」、あるいは「１００」から「０１１」）を示す１ビットの方向信号とからなる。
【００３６】
位置信号は、疑似輪郭輝度変化が生じた３ビットが（ａ７，ａ６，ａ５）の場合、例えば「１１０」となる。以下同様に、疑似輪郭輝度変化が生じた３ビットが（ａ６，ａ５，ａ４）、（ａ５，ａ４，ａ３）、（ａ４，ａ３，ａ２）、（ａ３，ａ２，ａ１）、（ａ２，ａ１，ａ０）の場合、位置信号は、それぞれ「１０１」、「１００」、「０１１」、「０１０」、「００１」となる。
一方、方向信号は、疑似輪郭輝度変化が「０１１」から「１００」への変化の場合は例えば「１」となり、疑似輪郭輝度変化が「１００」から「０１１」への変化の場合は「０」となる。
【００３７】
輝度変化検出部２０８は、遅延部２０５の出力と遅延部２０６の出力との間、すなわち図３の画素Ｐ１２と画素Ｐ１３間で疑似輪郭輝度変化を検出した場合、検出結果を輝度変化検出部２０７と同様に４ビットの検出信号として出力する。
【００３８】
輝度変化検出部２０９は、遅延部２０６の出力とデータｐｒｅｉｎｐｕｔとの間、すなわち図３の画素Ｐ１３と画素Ｐ１４間で疑似輪郭輝度変化を検出した場合、、検出結果を４ビットの検出信号として出力する。
【００３９】
輝度変化検出部２１０は、遅延部２０２の出力と遅延部２０３の出力との間、すなわち図３の画素Ｐ２２と画素Ｐ２３間で疑似輪郭輝度変化を検出した場合、検出結果を４ビットの検出信号として出力する。
【００４０】
輝度変化検出部２１１は、遅延部２０２の出力と遅延部２０５の出力との間、すなわち図３の画素Ｐ２２と画素Ｐ１２間で疑似輪郭輝度変化を検出した場合、検出結果を４ビットの検出信号として出力する。
【００４１】
輝度変化検出部２１２は、遅延部２０３の出力と遅延部２０６の出力との間、すなわち図３の画素Ｐ２３と画素Ｐ１３間で疑似輪郭輝度変化を検出した場合、検出結果を４ビットの検出信号として出力する。
【００４２】
そして、輝度変化検出部２１３は、入力データｉｎｐｕｔとその１ライン前のデータｐｒｅｉｎｐｕｔとの間、すなわち図３の画素Ｐ２４と画素Ｐ１４間で疑似輪郭輝度変化を検出した場合、検出結果を４ビットの検出信号として出力する。
【００４３】
次に、水平方向データ変換制御部２１４は、図３に示した画素Ｐ１１と画素Ｐ１２間、画素Ｐ１２と画素Ｐ１３間、画素Ｐ１３と画素Ｐ１４間のいずれにおいても疑似輪郭輝度変化がなく（すなわち、輝度変化検出部２０７，２０８，２０９からの検出信号出力がない）、かつ図３の画素Ｐ２２と画素Ｐ２３間で疑似輪郭輝度変化があった場合（すなわち、輝度変化検出部２１０からの検出信号出力がある）、この動画疑似輪郭の発生を抑制すべく画素Ｐ２２と画素Ｐ２３をデータ変換するための５ビットの制御信号を出力する。図４、図５は水平方向データ変換制御部２１４の動作を説明するための図である。
【００４４】
このとき、水平方向データ変換制御部２１４は、現在のフレームが奇数フレームの場合、データ変換後の画素Ｐ２２と画素Ｐ２３間の輝度変化がデータ変換前の画素Ｐ２２と画素Ｐ２３間で検出された疑似輪郭輝度変化と同方向となるような非反転データ変換を指示する制御信号を出力し、現在のフレームが偶数フレームの場合、データ変換後の画素Ｐ２２と画素Ｐ２３間の輝度変化がデータ変換前の画素Ｐ２２と画素Ｐ２３間で検出された疑似輪郭輝度変化と逆方向となるような反転データ変換を指示する制御信号を出力する。
【００４５】
この５ビットの制御信号は、非反転データ変換か反転データ変換かを指示する１ビットの指示信号（非反転データ変換であれば例えば「０」、反転データ変換であれば例えば「１」）と、輝度変化検出部２１０から出力された４ビットの検出信号とからなる。
【００４６】
現在のフレームが奇数フレームか偶数フレームかは、タイミングパルス発生回路１７から出力される、フレーム毎に反転するフレーム判別信号Ｖｔｏｇｇｌｅに基づいて判別することができる。
【００４７】
画素Ｐ１１と画素Ｐ１２間、画素Ｐ１２と画素Ｐ１３間、画素Ｐ１３と画素Ｐ１４間に疑似輪郭輝度変化がなく、画素Ｐ２２と画素Ｐ２３間に疑似輪郭輝度変化が現れた状況は、図４のように水平方向の疑似輪郭輝度変化が現れた状況を示している。
【００４８】
また、水平方向データ変換制御部２１４は、図３の画素Ｐ１１と画素Ｐ１２間、画素Ｐ１２と画素Ｐ１３間、画素Ｐ１３と画素Ｐ１４間のうちいずれか１つと、画素Ｐ２２と画素Ｐ２３間で同一の疑似輪郭輝度変化があった場合（すなわち、輝度変化検出部２０７，２０８，２０９のうちいずれか１つの検出信号と輝度変化検出部２１０からの検出信号とが一致する場合）、この動画疑似輪郭の発生を抑制すべく画素Ｐ２２と画素Ｐ２３をデータ変換するための５ビットの制御信号を出力する。
【００４９】
このとき、水平方向データ変換制御部２１４は、画素Ｐ２２と画素Ｐ２３間の疑似輪郭輝度変化と同一の疑似輪郭輝度変化があった画素Ｐ１１と画素Ｐ１２間、画素Ｐ１２と画素Ｐ１３間あるいは画素Ｐ１３と画素Ｐ１４間に対して指示したデータ変換と逆方向となるようなデータ変換を画素Ｐ２２と画素Ｐ２３に対して指示する制御信号を出力する。この制御信号出力は、現在のフレームが奇数フレームか偶数フレームかに関係なく行われる。
【００５０】
画素Ｐ１１と画素Ｐ１２間、画素Ｐ１２と画素Ｐ１３間あるいは画素Ｐ１３と画素Ｐ１４間で検出された疑似輪郭輝度変化に対しては、現在より１ライン前の処理において水平方向データ変換制御部２１４によりデータ変換の方向が決定されており、この決定に応じた制御信号が既に出力されている。この１ライン前に出力された制御信号が非反転データ変換と反転データ変換のうちどちらを指示しているかは、後述する制御信号検出部２２３〜２２６によって判別することができる。
【００５１】
水平方向データ変換制御部２１４は、画素Ｐ２２と画素Ｐ２３間の疑似輪郭輝度変化と同一の疑似輪郭輝度変化があった画素Ｐ１１と画素Ｐ１２間、画素Ｐ１２と画素Ｐ１３間あるいは画素Ｐ１３と画素Ｐ１４間に対して非反転データ変換を１ライン前に指示している場合には、画素Ｐ２２と画素Ｐ２３に対して反転データ変換を指示する制御信号を出力する。
【００５２】
また、水平方向データ変換制御部２１４は、画素Ｐ２２と画素Ｐ２３間の疑似輪郭輝度変化と同一の疑似輪郭輝度変化があった画素Ｐ１１と画素Ｐ１２間、画素Ｐ１２と画素Ｐ１３間あるいは画素Ｐ１３と画素Ｐ１４間に対して反転データ変換を１ライン前に指示している場合には、画素Ｐ２２と画素Ｐ２３に対して非反転データ変換を指示する制御信号を出力する。
【００５３】
５ビットの制御信号の構成は、前述と同様であり、非反転データ変換か反転データ変換かを指示する１ビットの指示信号と、輝度変化検出部２１０から出力された４ビットの検出信号とからなる。
【００５４】
画素Ｐ１１と画素Ｐ１２間、画素Ｐ１２と画素Ｐ１３間、画素Ｐ１３と画素Ｐ１４間のうちいずれか１つと、画素Ｐ２２と画素Ｐ２３間で同一の疑似輪郭輝度変化が現れた状況は、図５（ａ）、図５（ｂ）、図５（ｃ）に示すように、水平方向の疑似輪郭輝度変化が垂直方向に隣接して現れた状況を示している。
【００５５】
次に、垂直方向データ変換制御部２１５は、図３の画素Ｐ１２と画素Ｐ２２間、画素Ｐ１３と画素Ｐ２３間および画素Ｐ１４と画素Ｐ２４間で同一の疑似輪郭輝度変化があった場合（すなわち、輝度変化検出部２１１，２１２，２１３から同一の検出信号が出力された場合）、この動画疑似輪郭の発生を抑制すべく画素Ｐ１３と画素Ｐ２３をデータ変換するための５ビットの制御信号を出力する。図６は垂直方向データ変換制御部２１５の動作を説明するための図である。
【００５６】
ここで、画素Ｐ１２と画素Ｐ２２間、画素Ｐ１３と画素Ｐ２３間および画素Ｐ１４と画素Ｐ２４間に現れた同一の疑似輪郭輝度変化（図６（ａ））を、略して垂直方向の疑似輪郭輝度変化と呼ぶ。この垂直方向の疑似輪郭輝度変化が１画素前の処理で検出されず、現在の処理で検出された場合、画素Ｐ１３と画素Ｐ２３に対するデータ変換の方向は、フレームによって予め決定されている。
【００５７】
本実施の形態では、現在のフレームが奇数フレームの場合は非反転データ変換とし、偶数フレームの場合は反転データ変換とする。したがって、垂直方向データ変換制御部２１５は、現在のフレームが奇数フレームの場合、非反転データ変換を指示する制御信号を出力し、現在のフレームが偶数フレームの場合、反転データ変換を指示する制御信号を出力する。
【００５８】
５ビットの制御信号の構成は、水平方向データ変換制御部２１４の場合と同様であり、非反転データ変換か反転データ変換かを指示する１ビットの指示信号と、輝度変化検出部２１１から出力された４ビットの検出信号とからなる。
【００５９】
次に、図６（ｂ）に示すように１画素後の処理においても垂直方向の疑似輪郭輝度変化が検出された場合、垂直方向データ変換制御部２１５は、１画素前の画素Ｐ１３と画素Ｐ２３に対して指示したデータ変換と逆方向となるようなデータ変換を現在の画素Ｐ１３と画素Ｐ２３（図６（ｂ）では画素Ｐ１４と画素Ｐ２４）に対して指示する制御信号を出力する。
【００６０】
なお、図３〜図５、図６（ａ）では、Ｐ２３の位置を検出の中心としているが、図６（ｂ）では、図６（ａ）の１画素後の処理を説明するため、検出の中心を図６（ａ）から１画素右にずらしているので、制御信号の出力対象となる画素Ｐ１３と画素Ｐ２３に相当するのは、図６（ｂ）では画素Ｐ１４と画素Ｐ２４である。
【００６１】
現在のフレームが奇数フレームの場合、１画素前の図６（ａ）の状態で非反転データ変換を指示する制御信号を出力しているので、垂直方向データ変換制御部２１５は、反転データ変換を指示する制御信号を出力する。一方、現在のフレームが偶数フレームの場合、１画素前の図６（ａ）の状態で反転データ変換を指示する制御信号を出力しているので、垂直方向データ変換制御部２１５は、非反転データ変換を指示する制御信号を出力する。
【００６２】
次に、図６（ｃ）に示すように図６（ａ）から２画素後の処理においても垂直方向の疑似輪郭輝度変化が検出された場合、垂直方向データ変換制御部２１５は、１画素前の画素Ｐ１３と画素Ｐ２３（図６（ｂ）では画素Ｐ１４と画素Ｐ２４）に対して指示したデータ変換と逆方向となるようなデータ変換を現在の画素Ｐ１３と画素Ｐ２３（図６（ｃ）では画素Ｐ１５と画素Ｐ２５）に対して指示する制御信号を出力する。
【００６３】
なお、図６（ｃ）では、図６（ａ）の２画素後の処理を説明するため、検出の中心を図６（ａ）から２画素右にずらしているので、制御信号の出力対象となる画素Ｐ１３と画素Ｐ２３に相当するのは、図６（ｃ）では画素Ｐ１５と画素Ｐ２５である。
【００６４】
現在のフレームが奇数フレームの場合、１画素前の図６（ｂ）の状態で反転データ変換を指示する制御信号を出力しているので、垂直方向データ変換制御部２１５は、非反転データ変換を指示する制御信号を出力する。一方、現在のフレームが偶数フレームの場合、１画素前の図６（ｂ）の状態で非反転データ変換を指示する制御信号を出力しているので、垂直方向データ変換制御部２１５は、反転データ変換を指示する制御信号を出力する。
【００６５】
次に、同期出力部２１６は、遅延部２０１から出力された８ビットのデジタルデータと、水平方向データ変換制御部２１４または垂直方向データ変換制御部２１５から出力された、図３の画素Ｐ２３に対する５ビットの制御信号とを同期させて出力する。
【００６６】
遅延部２０１は、入力データｉｎｐｕｔを３画素分遅延させる。一方、遅延部２０３は入力データｉｎｐｕｔを１画素分遅延させ、輝度変化検出部２１０で１画素遅れて検出信号が出力され、水平方向データ変換制御部２１４でさらに１画素遅れて制御信号が出力されるので、デジタルデータの画素Ｐ２３のタイミングとこの画素Ｐ２３に対する制御信号のタイミングとは、同期出力部２１６に入力される時点で一致している。したがって、同期出力部２１６は、遅延部２０１から出力されたデータと水平方向データ変換制御部２１４または垂直方向データ変換制御部２１５から出力された制御信号とをそのままパラレルに出力すればよい。
【００６７】
なお、垂直方向データ変換制御部２１５から同期出力部２１６へ出力される制御信号は、図３の画素Ｐ２３に対する制御信号であって、画素Ｐ１３に対する制御信号は後述する同期出力部２２７へ出力される。
【００６８】
同期出力部２１６は、水平方向データ変換制御部２１４と垂直方向データ変換制御部２１５とから同時に制御信号が出力された場合には、水平方向データ変換制御部２１４からの制御信号を選択して出力する。水平方向データ変換制御部２１４からの制御信号を優先して出力する理由は、水平方向の疑似輪郭輝度変化の方が人間の目につきやすいため、水平方向の疑似輪郭輝度変化の抑制を優先的に行うことが望ましいからである。
【００６９】
次に、同期出力部２１７は、同期出力部２１６から出力された８ビットのデジタルデータと５ビットの制御信号をそのままパラレルに出力すると共に、水平方向データ変換制御部２１４から出力された制御信号を同期出力部２１６から出力された制御信号の１画素後ろに付加することで、同期出力部２１６から出力された８ビットのデジタルデータと、水平方向データ変換制御部２１４から出力された、図３の画素Ｐ２２に対する５ビットの制御信号とを同期させて出力する。
【００７０】
同期出力部２１６に入力された８ビットのデジタルデータは、同期出力部２１６で１画素分遅れて出力されるので、デジタルデータの画素Ｐ２２のタイミングとこの画素Ｐ２２に対する制御信号のタイミングとは、同期出力部２１７に入力される時点で一致している。したがって、同期出力部２１７は、同期出力部２１６から出力された制御信号に続いて水平方向データ変換制御部２１４から出力された制御信号をそのまま出力すればよい。
【００７１】
次に、ラインメモリ２１８は、同期出力部２１７から出力された８ビットのデジタルデータを１ライン分（正確には、遅延部２０１の遅延時間と同期出力部２１６，２１７の遅延時間とを加算した５画素分の遅延時間を１ライン分の遅延時間から引いた時間）遅延させる。これにより、８ビットのデジタルデータｐｒｅｉｎｐｕｔは、８ビットの入力データｉｎｐｕｔに対して１ライン分遅れて出力される。
【００７２】
一方、ラインメモリ２１９は、同期出力部２１７から出力された５ビットの制御信号を１ライン分（正確には、遅延部２０１の遅延時間と同期出力部２１６，２１７の遅延時間とを加算した５画素分の遅延時間を１ライン分の遅延時間から引いた時間）遅延させる。
【００７３】
続いて、遅延部２２０は、ラインメモリ２１９から出力された５ビットの制御信号を３画素分遅延させ、遅延部２２１は、制御信号を２画素分遅延させ、遅延部２２２は、制御信号を１画素分遅延させる。
【００７４】
次に、制御信号検出部２２３〜２２６は、ラインメモリ２１９および遅延部２２０〜２２２から出力された５ビットの制御信号が非反転データ変換と反転データ変換のうちどちらを指示しているかを判別し、この判別結果を水平方向データ変換制御部２１４に通知する。
【００７５】
遅延部２２０はラインメモリ２１９の出力を３画素分遅延させるので、この遅延部２２０の出力は遅延部２０４の出力と同じタイミングとなる。したがって、制御信号検出部２２３は、図３の画素Ｐ１１に対する制御信号が非反転データ変換と反転データ変換のうちどちらを指示しているかを判別する。
【００７６】
遅延部２２１はラインメモリ２１９の出力を２画素分遅延させるので、この遅延部２２１の出力は遅延部２０５の出力と同じタイミングとなる。したがって、制御信号検出部２２４は、図３の画素Ｐ１２に対する制御信号のデータ変換方向を判別する。
【００７７】
遅延部２２２はラインメモリ２１９の出力を１画素分遅延させるので、この遅延部２２２の出力は遅延部２０６の出力と同じタイミングとなる。したがって、制御信号検出部２２５は、図３の画素Ｐ１３に対する制御信号のデータ変換方向を判別する。
【００７８】
ラインメモリ２１９の出力はラインメモリ２１８の出力と同じタイミングである。したがって、制御信号検出部２２６は、図３の画素Ｐ１４に対する制御信号のデータ変換方向を判別する。
【００７９】
水平方向データ変換制御部２１４は、画素Ｐ２２と画素Ｐ２３間の疑似輪郭輝度変化と同一の疑似輪郭輝度変化が画素Ｐ１１と画素Ｐ１２間で現れた図５（ａ）の場合、制御信号検出部２２３，２２４の出力に基づいて画素Ｐ１１と画素Ｐ１２に対するデータ変換の方向を判別する。
【００８０】
また、水平方向データ変換制御部２１４は、画素Ｐ２２と画素Ｐ２３間の疑似輪郭輝度変化と同一の疑似輪郭輝度変化が画素Ｐ１２と画素Ｐ１３間で現れた図５（ｂ）の場合、制御信号検出部２２４，２２５の出力に基づいて画素Ｐ１２と画素Ｐ１３に対するデータ変換の方向を判別する。
【００８１】
そして、水平方向データ変換制御部２１４は、画素Ｐ２２と画素Ｐ２３間の疑似輪郭輝度変化と同一の疑似輪郭輝度変化が画素Ｐ１３と画素Ｐ１４間で現れた図５（ｃ）の場合、制御信号検出部２２５，２２６の出力に基づいて画素Ｐ１３と画素Ｐ１４に対するデータ変換の方向を判別する。
【００８２】
次に、同期出力部２２７は、遅延部２０４から出力された８ビットのデジタルデータと、遅延部２２０から出力された、図３の画素Ｐ２２と画素Ｐ２３に対する５ビットの制御信号と、垂直方向データ変換制御部２１５から出力された、図３の画素Ｐ１３に対する５ビットの制御信号とをこれら信号のタイミング関係を維持したまま出力する。
【００８３】
前述のように、遅延部２２０の出力は遅延部２０４の出力と同じタイミングである。したがって、デジタルデータの画素Ｐ２３のタイミングとこの画素Ｐ２３に対する制御信号のタイミングは、同期出力部２２７に入力される時点で一致し、同様にデジタルデータの画素Ｐ２２のタイミングとこの画素Ｐ２２に対する制御信号のタイミングも、同期出力部２２７に入力される時点で一致する。また、デジタルデータの画素Ｐ１３のタイミングと、垂直方向データ変換制御部２１５から出力される、画素Ｐ１３に対する制御信号のタイミングも、同期出力部２２７に入力される時点で一致している。
【００８４】
したがって、同期出力部２２７は、遅延部２０４から出力されたデータと垂直方向データ変換制御部２１５から出力された制御信号とをそのままパラレルに出力すると共に、垂直方向データ変換制御部２１５からの制御信号出力の１ライン後に遅延部２２０から出力される制御信号をそのまま出力すれば、デジタルデータと制御信号とを同期させた出力を行うことができる。
【００８５】
次に、データ変換部２２８は、同期出力部２２７から出力された８ビットのデジタルデータを同期出力部２２７から出力された５ビットの制御信号に応じてデータ変換する。図７はデータ変換部２２８の動作を説明するための図である。
【００８６】
前述のように、非反転データ変換は、データ変換後の画素間の輝度変化がデータ変換前の画素間で検出された疑似輪郭輝度変化と同方向となるようにデータ変換するものであり、反転データ変換は、データ変換後の画素間の輝度変化がデータ変換前の画素間で検出された疑似輪郭輝度変化と逆方向となるようにデータ変換するものである。
【００８７】
このとき、データ変換前の輝度をＹ０、反転データ変換後の輝度をＹ１、非反転データ変換後の輝度をＹ２とすると、以下のような式が成立する。
Ｙ０＝（Ｙ１＋Ｙ２）／２                                    ・・・（１）
【００８８】
反転データ変換後の輝度Ｙ１と非反転データ変換後の輝度Ｙ２とは、式（１）の関係を満たしつつ、それぞれデータ変換前の輝度Ｙ０との差が最小となるように決定される。このような輝度決定を行う理由は、データ変換前とデータ変換後の輝度変化が目立たないようにするためである。
【００８９】
例えば、図７（ａ）のように画素Ｐ２２の輝度が「００００１１１０」で、画素Ｐ２３の輝度が「０００１０００１」で、画素Ｐ２２と画素Ｐ２３間で疑似輪郭輝度変化が検出されたとき、画素Ｐ２２と画素Ｐ２３に対する制御信号が非反転データ変換を指示している場合、データ変換部２２８は、画素Ｐ２２の非反転データ変換後の輝度を「００００１１００」とし、画素Ｐ２３の非反転データ変換後の輝度を「０００１００１１」とする（図７（ｂ））。
【００９０】
また、データ変換部２２８は、画素Ｐ２２と画素Ｐ２３に対する制御信号が反転データ変換を指示している場合、画素Ｐ２２の反転データ変換後の輝度を「０００１００００」とし、画素Ｐ２３の反転データ変換後の輝度を「００００１１１１」とする（図７（ｃ））。
【００９１】
図８は本実施の形態のＰＤＰ表示装置による疑似輪郭輝度変化の検出結果の１例を示す図である。図８において、白色画素から灰色画素への変化および灰色画素から白色画素への変化は、白色画素と灰色画素間で疑似輪郭輝度変化が生じたことを示している。
【００９２】
３０１の位置の疑似輪郭輝度変化は、図４の場合に相当し、３０２の位置の疑似輪郭輝度変化は、図５の場合に相当する。また、３０３の位置の疑似輪郭輝度変化は、図６（ａ）の場合に相当し、３０４の位置の疑似輪郭輝度変化は、図６（ｂ）または図６（ｃ）の場合に相当する。
【００９３】
図９は発明者が特開２００３−１５５８９号公報あるいは特開２００３−７６３１６号公報で提案した従来のＰＤＰ表示装置による疑似輪郭輝度変化の検出結果の１例を示す図である。従来のＰＤＰ表示装置においても、水平方向の疑似輪郭輝度変化については本実施の形態のＰＤＰ表示装置と同様に検出することができるが、例えば３０５の位置のように垂直方向の疑似輪郭輝度変化については検出することができない。したがって、このようなＰＤＰ表示装置では、疑似輪郭輝度変化の検出に抜けが存在するので、動画疑似輪郭が発生する場合がある。
【００９４】
図１０は本実施の形態のＰＤＰ表示装置による表示画像の１例を示す図であり、図１０（ａ）は奇数フレームの画像を示し、図１０（ｂ）は偶数フレームの画像を示し、図１０（ｃ）は奇数フレームと偶数フレームとを合わせた画像を示している。図１０は図８に示した画像（入力データｉｎｐｕｔ）が入力された場合を想定している。
【００９５】
図１０（ａ）に示した奇数フレームでは、例えば４０１（図８の３０１）の位置で図４で説明したように非反転データ変換が行われ、４０１と垂直方向に隣接した４０２の位置では、図５で説明したように４０１と逆の反転データ変換が行われる。以下、図１０（ａ）の４０３、４０４、４０５、４０６の位置では、順に非反転データ変換、反転データ変換、非反転データ変換、反転データ変換が行われる。
【００９６】
また、例えば４０７の位置では、図６（ａ）で説明したように非反転データ変換が行われ、４０７と水平方向に隣接した４０８の位置では、図６（ｂ）で説明したように４０７と逆の反転データ変換が行われる。以下、４０９，４１０，４１１の位置では、順に非反転データ変換、反転データ変換、非反転データ変換が行われる。
【００９７】
一方、図１０（ｂ）に示した偶数フレームでは、例えば５０１（図８の３０１）の位置で図４で説明したように反転データ変換が行われ、５０１と垂直方向に隣接した５０２の位置では、図５で説明したように５０１と逆の非反転データ変換が行われる。以下、図１０（ｂ）の５０３、５０４、５０５、５０６の位置では、順に反転データ変換、非反転データ変換、反転データ変換、非反転データ変換が行われる。
【００９８】
また、例えば５０７の位置では、図６（ａ）で説明したように反転データ変換が行われ、５０７と水平方向に隣接した５０８の位置では、図６（ｂ）で説明したように５０７と逆の非反転データ変換が行われる。以下、５０９，５１０，５１１の位置では、順に反転データ変換、非反転データ変換、反転データ変換が行われる。
【００９９】
以上のように、本実施の形態では、水平方向の疑似輪郭輝度変化に対してはライン毎にデータ変換の方向を反転させるようにしているので、疑似輪郭輝度変化を拡散させることができ、これらの疑似輪郭輝度変化部で発生する動画疑似輪郭を視覚上相殺し、低減することができる。また、本実施の形態では、垂直方向の疑似輪郭輝度変化についても検出し、垂直方向の疑似輪郭輝度変化に対してはドット（画素）毎にデータ変換の方向を反転させるようにしているので、水平方向と同様に疑似輪郭輝度変化を拡散させることができ、これらの疑似輪郭輝度変化部で発生する動画疑似輪郭を視覚上相殺し、低減することができる。その結果、本実施の形態では、水平方向、垂直方向共に動画疑似輪郭を低減することができる。
【０１００】
さらに、本実施の形態では、疑似輪郭輝度変化部に対するデータ変換の方向をフレーム毎に反転させるので、従来の動画偽輪郭抑制方法のように固定された配列で発光するように見えることがなくなる。その結果、格子状ノイズを発生させることなく動画偽輪郭を低減することができる。
【０１０１】
なお、本実施の形態では、８ビットの輝度のうち連続する３ビットについて疑似輪郭輝度変化が生じているかどうかを調べているが、これに限るものではなく、３ビットより多くしてもよいし、少なくしてもよい。また、サブフレーム構成によって検出するビット数を変えることも考えられる。
【０１０２】
【発明の効果】
本発明によれば、入力画像において水平方向に隣接する２画素間について疑似輪郭輝度変化を検出する第１の輝度変化検出手順と、疑似輪郭輝度変化が検出された水平方向に隣接する２画素に対して疑似輪郭輝度変化を拡散させる第１のデータ変換を行う第１のデータ変換手順とを備えることにより、水平方向の疑似輪郭輝度変化を拡散させることができ、これらの疑似輪郭輝度変化部で発生する動画疑似輪郭を視覚上相殺し、低減することができる。また、入力画像において垂直方向に隣接する２画素間について疑似輪郭輝度変化を検出する第２の輝度変化検出手順と、疑似輪郭輝度変化が検出された垂直方向に隣接する２画素に対して疑似輪郭輝度変化を拡散させる第２のデータ変換を行う第２のデータ変換手順とを備えることにより、垂直方向の疑似輪郭輝度変化を拡散させることができ、これらの疑似輪郭輝度変化部で発生する動画疑似輪郭を視覚上相殺し、低減することができる。その結果、本発明では、水平方向、垂直方向共に動画疑似輪郭を低減することができる。また、本発明では、水平方向、垂直方向共に疑似輪郭輝度変化部に対するデータ変換の方向をフレーム毎に反転させるので、従来の動画偽輪郭抑制方法のように固定された配列で発光するように見えることがなくなる。その結果、格子状ノイズを発生させることなく動画偽輪郭を低減することができる。
【０１０３】
また、データ変換の方向がライン毎に反転するように第１のデータ変換を行うことにより、水平方向の疑似輪郭輝度変化を拡散させることができ、データ変換の方向が画素毎に反転するように第２のデータ変換を行うことにより、垂直方向の疑似輪郭輝度変化を拡散させることができる。
【０１０４】
また、データ変換前の画素データの値をＹ０、反転データ変換後の画素データの値をＹ１、非反転データ変換後の画素データの値をＹ２としたとき、Ｙ０＝（Ｙ１＋Ｙ２）／２の関係を満たし、かつデータ変換後の画素データの値Ｙ１，Ｙ２とデータ変換前の画素データの値Ｙ０との差が最小となるようにデータ変換を行うことにより、データ変換前とデータ変換後の輝度変化が目立たないようにすることができる。
【０１０５】
また、同一の画素について第１の輝度変化検出手順と第２の輝度変化検出手順で疑似輪郭輝度変化が検出された場合には、第２のデータ変換手順よりも第１のデータ変換手順を優先的に行うようにしたことにより、水平方向の疑似輪郭輝度変化の抑制を優先的に行うので、垂直方向よりも目につきやすい水平方向の疑似輪郭輝度変化を効果的に拡散させることができる。
【図面の簡単な説明】
【図１】本発明の実施の形態となるＰＤＰ表示装置の構成を示すブロック図である。
【図２】本発明の実施の形態におけるデータ変換回路の構成を示すブロック図である。
【図３】本発明の実施の形態における輝度変化検出部の動作を説明するための図である。
【図４】本発明の実施の形態における水平方向データ変換制御部の動作を説明するための図である。
【図５】本発明の実施の形態における水平方向データ変換制御部の動作を説明するための図である。
【図６】本発明の実施の形態における垂直方向データ変換制御部の動作を説明するための図である。
【図７】本発明の実施の形態におけるデータ変換部の動作を説明するための図である。
【図８】本発明の実施の形態のＰＤＰ表示装置による疑似輪郭輝度変化の検出結果の１例を示す図である。
【図９】従来のＰＤＰ表示装置による疑似輪郭輝度変化の検出結果の１例を示す図である。
【図１０】本発明の実施の形態のＰＤＰ表示装置による表示画像の１例を示す図である。
【図１１】従来のＰＤＰ表示装置のブロック図である。
【図１２】ＰＤＰ表示装置におけるサブフレームの配列構成を示す図である。
【図１３】従来の動画疑似輪郭抑制方法を説明するための図である。
【符号の説明】
１…プラズマディスプレイパネル、１１…レベル調整回路、１２…Ａ／Ｄ変換回路、１３…γ逆変換回路、１４…フレームメモリ、１５…出力処理回路、１６…同期分離回路、１７…タイミングパルス発生回路、１８…メモリ制御回路、１９…駆動タイミング発生回路、２０…データ変換回路、２０１、２０２、２０３、２０４、２０５、２０６、２２０、２２１、２２２…遅延部、２０７、２０８、２０９、２１０、２１１、２１２、２１３…輝度変化検出部、２１４…水平方向データ変換制御部、２１５…垂直方向データ変換制御部、２１６、２１７、２２７…同期出力部、２１８、２１９…ラインメモリ、２２８…データ変換部。
【図１】
2005010588.tif 000003
【図２】
2005010588.tif 000004
【図３】
2005010588.tif 000005
【図４】
2005010588.tif 000006
【図５】
2005010588.tif 000007
【図６】
2005010588.tif 000008
【図７】
2005010588.tif 000009
【図８】
2005010588.tif 000010
【図９】
2005010588.tif 000011
【図１０】
2005010588.tif 000012
【図１１】
2005010588.tif 000013
【図１２】
2005010588.tif 000014
【図１３】
2005010588.tif 000015